Podtech/llm-jp-corpus-v4-ja_patent huggingface dataset:
(57)【要約】【課題】氷を氷結状態に保って、その保管を確実かつ容易に行なうことができるとともにかき氷製作の歩留まりを向上した氷削機を提供することを目的とする。【解決手段】切削刃１５を取りつけた切削体１２と、氷を切削刃１５に向け移送する回転体１０を冷温室１７内に配置するとともに冷温室１７内を冷却手段２０により冷温状態に保持可能にする。【選択図】        図３
2004361010.tif 000002
【特許請求の範囲】
【請求項１】
切削面に設けたスリットより切削面に向けて切削刃を突出した切削体と、切削体の切削面上で旋回して氷を切削刃に向け移送する回転体とからなる氷削機において、前記切削体と回転体を冷温室内に設置するとともに該冷温室内を冷却手段により冷温状態に保持可能にしたことを特徴とする氷削機。
【請求項２】
前記冷温室内の外面にペルチェ素子を取り付けて前記冷却手段とした請求項１記載の氷削機。
【請求項３】
前記切削体にペルチェ素子を取り付けて前記冷却手段とした請求項１乃至２記載の記載の氷削機。
【発明の詳細な説明】
【０００１】
【発明が属する技術分野】
本発明は、氷削機に関するものである。
【０００２】
【従来の技術】
従来、氷削機としては、切削面に設けたスリットより切削面に向けて切削刃を突出した水平、逆円錐状等の切削体の切削面上で、手動又は動力により回転体を旋回して氷を切削刃に向け移送してかき氷を作っている。（例えば特許文献１参照）。  これに用いる氷としては、塊状（約１５ｃｍ角程度のもの。また、これをカチ割った氷塊を含む。）のもの、又は冷蔵庫で作る約３ｃｍ角のもの等を使用している。
【０００３】
しかしながら、氷削機を長時間使用しないときには、氷を冷蔵庫に移してそのとけ出るのを防ぐ為、その保管作業に手間がかかるとともに氷の切削体からの取り出しの際切削刃で手を切ったり等の危険が伴う。また、断続的に氷削機を使用をする場合は、氷を切削体上に置いたままにするため、氷の目減りが余儀なくされる。さらに、とけた水の処理にも手間がかかる。
【０００４】
【特許文献１】
特開平９−２１０５２７号（全頁）
【０００５】
【発明が解決しようとする課題】
本発明の氷削機は、氷を氷結状態に保って、その保管を確実かつ容易に行なうことができるとともにかき氷製作の歩留まりを向上した氷削機を提供することを目的とする。
【０００６】
【課題を解決するための手段】
本発明の請求項１記載の氷削機は、切削面に設けたスリットより切削面に向けて切削刃を突出した切削体と、切削体の切削面上で旋回して氷を切削刃に向け移送する回転体を、冷温室内に設置するとともに冷温室内を冷却手段により冷温状態に保持可能にした。
【０００７】
本発明の請求項２記載の氷削機は、切削室内の外面にペルチェ素子を取り付けて冷却手段とした。ペルチェ素子を使用することにより機器のコンパクト化が図れる
【０００８】
本発明の請求項３記載の氷削機は、切削体にペルチェ素子を取り付けて冷却手段とした。ペルチェ素子を使用することにより機器のコンパクト化が図れること。また、切削体は通常アルミダイキャスト製であるので熱伝導性がよく特別の放熱板を設置する必要がなく、さらに機器のコンパクト化に寄与できることとコストダウンができる。
【０００９】
【発明の実施の形態】
切削刃を取りつけた切削体と、氷を切削刃に向け移送する回転体を冷温室内に設置するとともに切削室内を冷却手段により冷温状態に保持可能にする。
【００１０】
【実施例】
図１は、本発明の氷削機の１実施例を示す塊状氷を使用する電動氷削機の正面図。図２は、その側面縦断面図である。１は、電動氷削機。２は、門形のフレーム。３は、駆動装置で、モータＭとＶベルト５、大、小のＶベルト車６、７からなる伝導機構８と、下部に歯９付の回転体１０を有する雄ねじ状駆動軸１１と、駆動軸１１を上下動しながら回転させる歯車機構４とから構成される。１２は、切削面１３に設けたスリット１４より切削面１３に向けて切削刃１５を突出した切削体で、門形フレーム２の脚１６、１６間に設けた。１７は、前記切削体１２上に設けた円筒状の冷温室で、透明の樹脂製で正面に氷出し入れ用のスライド扉１８を有する。図３に示すようにスライド扉１８は円筒状冷温室１７の半面を占め円筒状冷温室１７の内面に沿ってスライドすることができる。また、スライド扉１８の一端部には召し合わせ部１９を設けてスライド扉１８を閉じたときのスットパーを兼ねる。２０はペルチェ素子ユニットで、ペルチェ素子２１、冷却フィン２２、冷却ファン２３からなる。２４は、側面視Ｌ形の取付体である。取付体２４はアルミ製でペルチェ素子２１からの熱の放熱板を兼ねる。ペルチェ素子ユニット２０は、取付体２４の垂直片２５に取付ける。そして取付体２４の水平片２６を切削体の底面に取り付ける。取付体２４の水平片２６は、円盤状で切欠き部２７を設ける。取付体２４は、切欠き部２７が切削刃１５の位置に該当するように取付ける。
【００１１】
次に、本実施例の電動氷削機を使用する際の説明をする。氷切削工程は従来と同じであり省略する。氷切削が終わり次の切削までの間において、ペルチェ素子ユニット２０には常時通電しているので冷温室１７は、ペルチェ素子２１からの冷温を取付体２４を経て伝導されて冷温状態に保たれる。したがって氷は、冷温室に置きっ放しにしても溶けない。
【００１２】
図４は、本発明の氷削機の他の実施例である冷蔵庫で製氷する約３センチ角の氷を使用するすり鉢状の切削体を有する電動氷削機の縦断面図である。本実施例では、ペルチェ素子ユニット２０をアルミダイキャスト製のすり鉢状切削体２７の斜辺底面に取付けた。また、すり鉢状切削体２７の上部より氷投入口天板に至る円筒状で樹脂製の冷温室２８を設けた。作用効果については塊状氷を使用する前記電動氷削機の場合と同様である。
【００１３】
【発明の効果】
以上述べたように本発明の氷削機においては、氷を切削しないときも氷を冷蔵庫に移す必要がなく冷温室に置きっ放しにすることでき氷の保管作業に手間がかからないとともに氷の目減りもなく、手を傷つけることもない。さらに、溶け出た水の処理に手間がかからない。なお、切削体のスリットを経て氷排出口より外へ冷温が逃げるのを防ぐ手立てを講じる方法はいろいろ考えられるが微小なことであり、特別な手立ては必要ない。また、本実施例では、いずれもペルチェ素子を切削体の底面に取付けたが、冷温室に取付けることもできる。また手動の氷削機にも応用できる。さらに、冷却手段としては、圧縮機、凝縮機、膨張機構等よりなる冷凍サイクルを用いることもできる。
【図面の簡単な説明】
【図１】本発明の氷削機の１実施例を示す正面図。
【図２】同上の側面縦断面図。
【図３】同上の要部斜視図。
【図４】本発明の他の実施例を示す縦断面図。
【符号の説明】
１２  切削体
１３  切削面
１４  スリット
１５  切削刃
１７  冷温室
２０  ペルチェ素子ユニット
【図１】
2004361010.tif 000003
【図２】
2004361010.tif 000004
【図３】
2004361010.tif 000005
【図４】
2004361010.tif 000006
(57)【要約】【目的】わたを使用せず最小限の布で、こたつ内の暖気を逃さず部屋と収納のスペースを最小限に出来、部屋をスッキリ見せることが出来、家庭で手軽に洗濯出来る。又使い捨ても出来てこたつ生活を楽しく出来るという簡便で使い勝手のよいものを提供する。【構成】布をこたつ１の高さ２、こたつ１の側面外周を囲む長さにする。その上部６にギャザー７を施し、裏側７′左８右８′に着脱装置を施しカーテンタイプのカバー５をつくり、これでこたつ１の側面外周を囲み、左８右８′をとじる。こたつ敷は五枚一組とする座布団タイプにする。その一枚をこたつ１の下に敷き、四枚は各々こたつ１のまわりに敷くことを特長とする。【選択図】図３
2004361065.tif 000002
【特許請求の範囲】
【請求項１】
布をこたつ１の高さ２、側面３  ３′３′′３′′′外周を囲む長さとする。その上部６にギャザー７を施し、裏側７′と左８右８′端に着脱式装置を施しカーテンタイプのカバー５をつくる。これでこたつ１の外周を囲み、両端８８′をとじることを特長とする。こたつ敷は五枚９  ９′９′′９′′′９′′′′一組とする座布団タイプとする。その一枚をこたつ１の下に敷くことを特長とする。
【請求項２】
布が化学センイ質、不織布である請求項１の使い捨て出来る着脱式カーテンタイプのこたつカバー敷セット。
【請求項３】
布がカーテン生地で部屋のカーテンとセットにする請求項１の着脱式カーテンタイプのこたつカバー敷・カーテンセット。
【請求項４】
布が天然センイ質、化学センイ質である請求項１の着脱式カーテンタイプのこたつカバー敷セット。
【発明の詳細な説明】
【０００１】〔産業上の利用分野〕
この発明は、化学センイ質カーテン生地天然センイ質不織布等の布をこたつの高さ、こたつ側面外周の長さとする。その上部にギャザーを施し、裏側と左右両端に着脱装置を施しカーテンタイプのカバーをつくる。これでこたつの外周を囲み両端をとじる。こたつ敷は五枚一組とする座布団タイプとする。その一枚をこたつ１の下に敷く使い捨て出来る着脱式カーテンタイプのこたつカバー敷セット。化学センイ質の不織布でつくれば使い捨て出来る。カーテン生地でつくれば部屋のカーテンとセットに出来る使い捨て出来る着脱式カーテンタイプのこたつカバー敷セット、およびその製造方法に関するものです。
【０００２】〔従来の技術〕
従来のこたつ掛敷ふとん等のセットは、わた等を使用しているために掛ふとんが厚くて大きく、さらに中掛等もあり、敷ふとんも必要以上に大きくなり、掛けるものが普通である。しかしこれらはそのために部屋と収納のスペースを多く取り、そのために部屋をスッキリと見せることが出来ず、そして家庭で手軽に洗濯が出来ないという欠点があった。
【０００３】〔発明が解決しようとする課題〕
本発明は、その欠点を無くすためわたを使用せず最小限の布仕立てのカバーでこたつを囲み、こたつ内の暖気を逃さず部屋と収納のスペースを最小限に出来部屋もスッキリ見せることが出来、家庭で手軽に洗濯出来、又使い捨ても出来うる簡便で使い勝手の良いこたつカバー敷セットを得ようとするものです。
【０００４】〔課題を解決するための手段〕
その結果、化学センイ質の布、カーテン生地、天然センイ質の布、不織布等を、こたつの高さこたつ側面外周を囲む長さとする。その上部にギャザーを施し裏側と左右両端に着脱装置を施してカーテンタイプのカバーをつくる。これでこたつ側面の外周を囲む。こたつ敷は五枚一組とする座布団タイプにする。その一枚をこたつの下に敷く。不織布に於いては使い捨て出来ることを特長とする。
【０００５】〔作用〕
本発明で使用される使い捨て出来る着脱式カーテンタイプのこたつカバー敷セットは、わたを使用せず最小限の布仕立で、ギャザー部分がこたつ外側の冷気との接点を少なくする作用をするため、又着脱装置がこたつにピッタリ取り付る作用をするため、こたつ内の暖気を逃さず保温出来部屋と収納のスペースを最小限に出来部屋もスッキリ見せることが出来家庭で手軽に洗濯出来る。不織布でつくれば収納スペースと洗濯も必要なく使い捨て出来、カーテン生地でつくればこたつカバー敷・部屋のカーテンとセットにしてこたつ生活を楽しむことが出来る。
【０００６】〔実施例〕
こたつ１の側面３  ３′３′′３′′′外周を、着脱式カーテンタイプのこたつカバー５で囲み、左８右８′端をとじる。こたつ敷一枚９′′′′をこたつ１の下に敷く、四枚９  ９′９′′９′′′は、各々をこたつ１のまわりに敷く。
【０００７】〔発明の効果〕
本発明は、以上のような構成なのでこたつ内の暖気を逃さずしっかり保温出来、部屋と収納のスペースを最小限に出来、部屋もスッキリと見せることが出来、家庭で手軽に洗濯出来る。不織布のこたつカバー敷セットであれば収納スペース、洗濯も必要なく使い捨て出来る。カーテン生地のこたつカバー敷セットであれば部屋のカーテンとセットにしてこたつ生活を楽しむことが出来るという簡便で使い勝手の良いものを提供する。
【図面の簡単な説明】
【図１】こたつの斜視図
【図２】本発明の使い捨て出来る着脱式カーテンタイプのこたつカバー
【図３】本発明の実施例を示す斜視図
【符号の説明】
１はこたつ、２はこたつの高さ、３  ３′３′′３′′′はこたつの側面、４  ４′４′′４′′′はこたつの着脱装置、５は本発明のこたつカバー、６はこたつカバーの上部、７はこたつカバーのギャザー、７′はギャザーの裏側、８  ８′は左右端、９  ９′９′′９′′′９′′′′は本発明の座布団タイプのこたつ敷セット、１０は実施例。
【図１】
2004361065.tif 000003
【図２】
2004361065.tif 000004
【図３】
2004361065.tif 000005
(57)【要約】【課題】物を掴む時に使用する火バサミは、長いもの程先端部が捩じれて、変形した固形物等は掴み難い為、手加減したり、やり直したりしていた。又、短い火バサミを使用すると、腰を曲げねばならないなどの不都合が生じた。【解決手段】火バサミの２本の柄部の下部の任意の位置に、金属又は、合成樹脂製の２枚の板状の連結部に３箇所の回転軸を配し、２枚の板状の連結部の両端を固定金具にて固定する。これにより火バサミの掴み部を押圧時、柄部の２枚の板状の連結部を折り畳むことにより、火バサミの先端の支持部が捩じれる事無く合致する。火バサミが如何に長くとも、何ら支障なく使用可能のため、腰を曲げずに作業が可能な為、腰の負担が軽減され作業が効率的かつ容易になる。【選択図】      図２
2004361062.tif 000002
【特許請求の範囲】
【請求項１】
火バサミの２本の柄部の下部の任意の位置に、金属又は合成樹脂からなる２枚の板状の連結部に３箇所の回転軸を配し、２枚の板状の連結部の両端を固定金具にて固定し、２枚の板状の連結部の片方の中央部分に舌状のストッパーを配し、２枚の板状の連結部を折り畳む捩じれ防止付き火バサミ。
【発明の詳細な説明】
【０００１】
【発明の属する技術分野】
本発明は、金属又は合成樹脂からなる捩じれ防止付き火バサミに関する。
【０００２】
【従来の技術】
従来の火バサミで、変形した固形物等を掴む時、長い火バサミ程、先端部が捩じれて物を掴むことが容易に出来ず。掴み方を手加減したり、やり直したりしていた。又、美化清掃時など火バサミが短い為、腰を曲げて作業をしていた。
【０００３】
【発明が解決しようとする課題】
火バサミで挟んで掴む時、長い火バサミ程、手で加減したり、やり直したり、腰を曲げての作業の為、作業効率の低下の欠点があった。
【０００４】
【課題を解決するための手段】
本発明は、火バサミの２本の柄部の下部の任意の位置に、金属又は合成樹脂からなる、２枚の板状の連結部に３箇所の回転軸を配し、２枚の板状の連結部の両端を固定金具にて固定し、２枚の板状の連結部の片方の中央部分に舌状のストッパーを配する。これにより火バサミの掴み部を押圧時、２枚の板状の連結部を折り畳むことにより常に火バサミの先端の支持部が捩れる事無く合致するということを特徴とする構成を具備することで、これにより上記課題を解決するものである。
【０００５】
【実施例】
図１に示すように火バサミ１の２本の柄部３、３の下部の任意の位置に、図２に示されるように金属又は合成樹脂からなる２枚の板状の連結部８、８の両端を固定金具６、６にて固定し、３点の回転軸５、５、５を有する２枚の板状の連結部８の片方の中央部分にストッパー７を配し、図３、図４に示すように掴み部２、２を押圧する時、２枚の板状の連結部８、８がストッパー７により一直線にならない為、２枚の板状の連結部８、８を折り畳む事が出来、図５に示されるように常に火バサミ１の先端部の支持部４、４が捩れる事無く合致する。
【０００６】
【発明の効果】
本発明は、長い火バサミでも、固形物を挟んで掴む時、先端部が捩じれないで、物体を掴むことが出来る。又、火バサミが長い為、腰を曲げずに作業が可能な為、効率的かつ容易になる。
【図面の簡単な説明】
【図１】本発明に係る捩じれ防止付き火バサミの斜視図である。
【図２】本発明に係る、捩じれ防止付き火バサミの一部分を構成する平面図である。
【図３】本発明に係る、図２の部品を取り付けた火バサミの一部分の全開時の斜視図である。
【図４】本発明に係る，図２の部品を取り付けた火バサミの一部分の半開時の斜視図である。
【図５】本発明に係る、火バサミの全閉時の正面図である。
【符号の説明】
１    火バサミ
２    掴み部
３    柄部
４    支持部
５    回転軸
６    固定金具
７    ストッパー
８    板状の連結部
９    貫通穴
１０  ナット
１１  ボルト
【図１】
2004361062.tif 000003
【図２】
2004361062.tif 000004
【図３】
2004361062.tif 000005
【図４】
2004361062.tif 000006
【図５】
2004361062.tif 000007
【手続補正書】
【提出日】平成15年7月15日(2003.7.15)
【手続補正１】
【補正対象書類名】明細書
【補正対象項目名】請求項１
【補正方法】変更
【補正の内容】
【請求項１】
火バサミの２本の任意の位置に、金属又は合成樹脂からなる２枚の板状の連結部に３箇所の回転軸を配し、２枚の板状の連結部の両端を固定し、２枚の板状の連結部の片方の中央部分に舌状のストッパーを配し、２枚の板状の連結部を折り畳む捩じれ防止付き火バサミ。
(57)【要約】［課題］防水腕時計は、いろいろ試してみたが、どうしても水分が入ってガラスが曇りだす。それを本格的に改善したい。［解決手段］防水腕時計において、防水性がどうしても長期的に保てるように完成しない原因を、例えば、３６℃の状態から５℃の水に浸けるか触れた場合、約１０％時計内の気圧が低下するが、この内圧の変化とこれまで意識することが出来ないまま、いろいろな防水性の工夫がなされて来たため、少し長く使っていると、各所のパッキンが固くなるなどして、防水性が壊れて行っていたが、その解決策として、裏蓋に弾力性を持たせて、内圧が変化すると、内部容積が縮小・復帰するようにして、内圧の低下によって空気と共に水分を吸入するのを防止して、防水性の長期維持化を可能にした、Ａｉｒ  ｐｒｏｏｆ  ｗｒｉｓｔ  ｗａｔｃｈと呼ぶことにする、内圧調整防水腕時計。【選択図】なし【特許請求の範囲】
【請求項１】
防水腕時計において、防水性がどうしても長期的に保てるように完成しない原因を、例えば、３６℃の状態から５℃の水に浸けるか触れた場合、約１０％時計内の気圧が低下するが、この内圧の変化と、これまで意識することが出来ないまま、いろいろな防水性の工夫がなされて来たため、少し長く使っていると、各所のパッキンが固くなるなどして、防水性が壊れていたが、その解決策として、裏蓋に弾力性を持たせて、内圧が変化すると、内部容積が縮小・復帰するようにして、内圧の低下によって空気と共に水分を吸入するのを防止して、防水性の長期維持化を可能にした、Ａｉｒ  ｐｒｏｏｆ  ｗｒｉｓｔ  ｗａｔｃｈと呼ぶことにする、内圧調整防水腕時計。
【請求項２】
「請求項１」における内圧調整防水腕時計における「弾力性を持たせた裏蓋」の一として、裏蓋の中央に出来るだけ広い孔を開け、その内側の周りにレンジ（山並）を立てて、その円内にゴムなどの弾力性のある物質の厚手のフィルム（膜）を填めて、それをレンジにぴったり嵌まるリング状の金具で以て防水的にぴっちりと押さえ付けて、フィルムが内圧調整的に機能するようにした、腕時計の内圧調整裏蓋。
【発明の詳細な説明】
【０００１】
［発明の属する技術分野］
これまで、私は、いろいろと内外の防水腕時計を使用して来た。
【０００２】
［従来の技術］
どれも、初めの内は問題ないのであるが、暫く経つと、貯め水のみならず流れ水を使っても、微かに水分が浸入するようになる。
長い間、それは、内外の各メーカーが丁寧に防水機構を作らないからだと思って来た。
【０００３】
［発明が解決しようとする課題］
ところが、この前、少し考えてみて、温度変化による時計の内部気圧の変化に上手く対応する機能がないからではないかと気付いた。
【０００４】
［課題を解決するための手段］
そこで、その内圧の変化に対応しうるようにしないと、防水性は長く保てないことに気付いた。
それには、内圧を調整しうる弁は出来ないかといろいろ考えてみたが、どうも上手く簡単なものが発明出来ない。
本日、もう一度根本的に考え直してみて、水分が浸入するのは、時計の温度が手首の温度３６℃くらいから使い水の例えば５℃にまで低下するなら、内圧が下がって空気と共に水分を吸い込むに違いない。
そこで、最初に発想した調整弁では、空気の吸入の度に矢張り水分を吸い込むことになり、問題外であることが判った。
そこで、空気が出入りすることなく、内圧の変化に対応する方法を考えなくてはならない。
【０００５】
［発明の実施の形態］
それには、減圧の場合には容積が縮むようにする以外にない。それには、裏蓋が引っ込みうるようにする以外にない。それは、弾力性のない金属では駄目なので、ゴムなどの適当な厚さのフィルムを用いて対応することを一応考えた。
そこで、本発明は、「特許請求の範囲」のように簡潔に構成した。
【０００６】
［発明の効果］
本発明によって、防水腕時計の寿命の長期化は本質的に完成したと考える。
これまで、この問題は、どんな高級防水腕時計にも付き纏って離れなかった大問題であったにも拘らず、その本質を誰も気付かなかったようである。
世界には、腕時計の発祥と共に歩んで来た多くの有名銘柄と有名メーカーがある。
これらのブランドは歴史の変遷を乗り越えて、それぞれの国を代表する地位を保ち続けている。
それに比べると、我国のブランドは、本格的には戦後の昭和４０年代からのものであり、ブランドとしては肩身の狭いものであった。
今日でも、国産のムーブメントの大部分が外国の有名ブランドを借りないと通用しない状態にある。単にデザインが不満だと言うだけではない。一に腕時計史上に誇りうるイノベーションを生めなかったからである。
日本の有力メーカーは、この悲哀の解消にあらゆる努力を払って来たのであるが、どこをどう発明すれば、腕時計史上に輝かしい一頁を飾り得るか気付けなかった。
本発明は、ウオータープルーフをエアプルーフに書き改めた。是非、世界の有名メーカーに採用してもらって、行き詰まってしまっている世界の腕時計産業の発展に新しい画期を開きたい。
私も、是非、それら世界の有名メーカーに伍す日本を代表する「ナガイ」と言うブランドを生み育ててみたい。
(57)【要約】      （修正有）【課題】大きくて読み易いカレンダー腕時計を提供する。【解決手段】腕時計において、文字盤を一杯に回る時針・分針・秒針の三針に加えて、日針を文字盤円周を３１等分して３１日で一周するように設けて、その３１日の日付は、窓ガラスの嵌っているケイスの縁にリング状に表記した、リングカレンダーリストウオッチと呼ぶことにする、一月日読腕時計。【選択図】なし【特許請求の範囲】
【請求項１】
腕時計において、文字盤を一杯に回る時針・分針・秒針の三針に加えて、日針を文字盤円周を３１等分して３１日で一周するように設けて、その３１日の日付は、窓ガラスの嵌っているケイスの縁にリング状に表記した、リングカレンダーリストウオッチと呼ぶことにする、一月日読腕時計。
【発明の詳細な説明】
【０００１】
［発明の属する技術分野］
私は、老眼に掛かってこの方、大きくて読み易いカレンダー腕時計を求めて来た。
【０００２】
［従来の技術］
現在の機械式の一日ずつを窓に表示するものは、一月分の日数を等分表示した円板を用いる関係上、どうしても文字が小さくなって、若い人には兎も角、私のような老眼には、眼鏡を掛けても見づらい。これを補う方法としてはロレックスの発明と思われる局部拡大レンズを用いる以外になかった。
（公序良俗違反につき、不掲載）
【０００３】
［発明が解決しようとする課題］
そこで、私は、平成７年に「時計カレンダー機構用二枚重ね式日付表記円板とそれを取り入れた時計」（何者かが何時か空き巣狙いをやり、ロッカーの鍵まで開けて、出願書類の控えをきれいに持ち去っている）を出願登録（実用新案登録第３０２８３５７号）して、この課題に挑戦している。
それは、１６等分表記の日付円板を２枚重ねて、日付文字の太さを約２倍にすることを発案したものである。
（公序良俗違反につき、不掲載）
国が幾ら発明を奨励しても、企業がその成果を進んで採用する心理状態にならない限り、何の意味もない。
国は、企業に国産の先進技術思想を対抗的外国技術思想より優先して採用させるよう法制化するべきではなかろうか。
【０００４】
［課題を解決するための手段］
そこで、何か別の案はないかと、その後ずっと考えて来た。
ストップウオッチ・アラーム・タキメーターの３機能付のものが、恐らく発明使用料を支払って、各社から多数販売されている。
この中の一機構をカレンダーとしても宜しかろうと思い付いてはいるが、表示が小さくなるので、それよりは本発明の方がベターだと本発明を出願する次第である。
そこで、文字盤を一杯に回る日針を設けると宜しいことに気付いた。
その本発明は、「特許請求の範囲」に簡潔に述記しある。
【０００５】
［発明の効果］
本発明は、全く新しいカレンダー表示法に拠る腕時計であり、世界の時計業界に誇りうるものに違いないと思っている。カレンダー文字を可なり大きくして、人口の半数も達する老眼の人たちに応えたい。
また、行き詰まっているデザイン案にも、一つの光明を掲げえた。
腕時計部品メーカー界の多くの方々の支援を確かにして、Ｍ．ＮＡＧＡＩの商標で世界市場に乗り込めるようになることを祈っている。
なお、今日の殆どのメーカーが上述のように、それは非人間的に狡猾であるので、経済の行詰りをなかなか革新打開することが出来ない大きな原因となっている。
そこで、国はその対抗策として、有力な発明の開発実用化には、その費用の全額を期限を限って全額無償で貸し付け、その回収は成功払いにする制度は出来ないものであろうか。
（公序良俗違反につき、不掲載）
引退期に近い人たちは兎も角、若年者が各家庭に逼塞するのを余儀なくされ、それが暴力団化して社会不安を醸出している。
この事態を強く反省して、本質的に物になる可能性のある発明に基づく新規の産業と新規の商品の育成には、国は十分な対策を惜しんではならない。
日本の食糧事情は、農村地帯がやっと自給できるに過ぎない。８０００〜９０００万の都会市民に食糧を輸入しなくてはならない。しかし、それは、何時までも借金で以ては行なえない。
その食糧とそしてエネルギーと喜んで交換して貰える先進的な工業製品を開発製造しなくてはならない。（公序良俗違反につき、不掲載）この人たちに国が起業チャンスを与えさえすれば、日本経済が再び蘇る可能性は十分にある。
しかし、現政府には斯かる日本の危機的状態に対する正確な認識が全くと言ってよいほど無い。「文部科学時報・５」を見てもわかるのであるが、遺伝情報・再生医療・光生態測定・蛋白３０００・生命メカニズム・脳科学・免疫アレルギー・ゲノムなどの先端科学技術と称されて来たものに、ライフサイエンスと改称して、今以て文部省予算だけで７２６億円（平成１５年度）も捨てると言う。
また、宇宙科学技術とか光科学技術などの昭和３０年代から今以て称されている先端科学技術にいまだその限界を論ぜず係わり続けて行くと言う。
この状態は一種の研究秘密保持結社と化していることを示しているのではないかと思われる。何十年と言う長い期間実用的な成果を全く上げることなく予算を取り続けるには数えることの出来ない程の手品を必要とするに違いない。
そのグループの指導的立場の人は、その手品を公開されることに大変な恐怖を抱いているに違いない。兎に角、そのグループを囲い続けるには予算が必要である。それを獲得し続けるには、大よそ学問とは乖離した非合理的で無意味な不条理なグループに年々発達して行くことになろう。
あらゆる分野の学問がこの不条理に陥ってしまうと、国の上部構造は国民にとって全く説明力や指導力を持てない存在と成り下がり、威信の欠片もない犯罪的存在となってしまう。
それは、死の恐怖にも近いものらしく、大変な老化を呼び、精神の高揚と身体の燃焼力はなくなり、終には全くの弛緩状態に陥ってしまうらしい。
いま、電波とストーカーとを操って地位に着き維持して来た７０歳にも、操られて犯罪者的になってしまっている１７歳にも、サムエル・ウルマンの「青春」の次の一節を送ろう。
「青春とは、卑怯と懦弱を退ける勇気、安易を振り捨てる冒険心を意味する。ときには、二十歳の青年よりも六十歳の初老の人に青春がある。年を重ねただけでは人は老いない。理想を失うとき初めて老いに陥る」。
特に、これまでの人生をストーカーに埋没してきた若者は、その老人性から脱出するた
めには、何に理想を捜し求めるべきか真剣に探究することを始めなくてはならない。
そして、今、今日の容易に立ち直れない危機的事態（国民の間では、これまでの価値観が揺らぎ、自信喪失感や閉塞感が広がっている。倫理観や社会的使命感の喪失が、正義、公正、安全への信頼を失わせている。少子高齢化による人口構成の変化が、社会の活力低下を招来している。長引く経済の停滞の中で、多くの労働者が離職を余儀なくされ、新規学卒者の就職は極めて困難となっている（「文部科学時報・５」２７頁））を招いた責任的地位の者には、マッカーサー元帥の「義務・名誉・祖国」の演説の結びの一節を贈りたい。
「私の周りは既に影が長く、人生の黄昏が迫っている。曾て私が活動した日々は既に跡形もなく消え、過ぎ去った夢の中に幾筋かの光を残しながら飛び去って行った。あの日々の追憶は愕くべく美しく、過ぎ去った日々に涙に濡れ、笑いに包まれている。私は、最早聞こえないとは知りながら、微かな起床ラッパの妙なる響き、長い乱打を繰り返す遠い太鼓の音に耳を澄ます」（「「青春」という名の詩」宇野収・作山宗久）。
(57)【要約】【課題】マグネットの位置決め誤差と、マグネットの温度による影響とを軽減することができるＭＲ素子を提供する。【解決手段】ＭＲ素子には、あらかじめＭＲ素子のセンサチップ部にバイアスマグネットを装着させたうえで全体をモールドパッケージ化にすることで、マグネットの位置決め誤差と、マグネットの温度による影響を軽減する。これにより、マグネット貼り付け作業の位置決め誤差によるバイアス磁界の方向のばらつきがなくなる。また、マグネットの貼り付け作業をなくすことにより工数が低減でき、さらにマグネットの周囲温度による影響を軽減することができる。【選択図】        図１
2004361162.tif 000002
【特許請求の範囲】
【請求項１】
モールドパッケージ（１）内部にセンサチップ（２）とバイアスマグネット（３）とを有することを特徴とするＭＲ素子。
【請求項２】
前記センサチップ（２）上に前記バイアスマグネット（３）を貼り合わせ、両者を１つの前記モールドパッケージ（１）にしたことを特徴とする請求項１に記載のＭＲ素子。
【発明の詳細な説明】
【０００１】
【発明の属する技術分野】
本発明は、ロータリエンコーダの多回転量検出回路等に用いるＭＲ素子に関するものである。
【０００２】
【従来の技術】
従来のロータリエンコーダに用いるＭＲ素子は、別ピースのゴムマグネットを接着剤等により貼り付けている。
ゴムマグネットは一定の磁界を発生させるよう着磁されている（例えば、特許文献１参照）。
【０００３】
【特許文献１】
特開平８−２１２６８８号公報
【０００４】
【発明が解決しようとする課題】
しかしながら従来のＭＲ素子は、一定のバイアス磁界をＭＲ素子へ印加するためのマグネットを別ピースとしてモールドパッケージに接着固定するので、貼り付け作業の位置決め誤差により、バイアス磁界の方向にばらつきが生じる問題があった。
また、マグネットがむき出しの状態にあるため、マグネットの磁界強度が周囲温度の影響を受けやすいという問題があった。
本発明は、このような問題を解決するためになされたもので、マグネットの位置決め誤差と、マグネットの温度による影響を軽減することができるＭＲ素子を提供することを目的とするものである。
【０００５】
【課題を解決するための手段】
上記問題点を解決するために、本発明のＭＲ素子は、あらかじめＭＲ素子のセンサチップ部にバイアスマグネットを装着させたうえで全体をモールドパッケージ化にすることで、マグネットの位置決め誤差と、マグネットの温度による影響を軽減する。
【０００６】
【発明の実施の形態】
以下、本発明を図に基づいて説明する。
図１は、本発明の実施例におけるＭＲ素子の概念を示す斜視図である。
図において、１はモールドパッケージ、２はセンサチップ、３はバイアスマグネットである。あらかじめＭＲ素子のセンサチップ部２にバイアスマグネット３を装着させたうえで全体をモールドパッケージ化している。
このようにすることにより、マグネット貼り付け作業の位置決め誤差によるバイアス磁界の方向のばらつきがなくなる。また、マグネットの貼り付け作業をなくすことにより工数が低減でき、さらにマグネットの周囲温度による影響を軽減することができる。
【０００７】
【発明の効果】
以上述べたように本発明によれば、次のような効果がある。
（１）マグネット貼り付け作業の位置決め誤差によるバイアス磁界の方向のばらつきをなくすことができる。
（２）また、マグネットの貼り付け作業をなくすことにより、工数を低減することができる。
（３）さらに、マグネットの周囲温度による影響を軽減することができる。
【図面の簡単な説明】
【図１】本発明の実施例におけるＭＲ素子の概念を示す斜視図である。
【符号の説明】
１  モールドパッケージ
２  センサチップ
３  バイアスマグネット
【図１】
2004361162.tif 000003
(57)【要約】（課題）鍵盤楽器の鍵盤上面に音名表示をすると、指が汚れたり指に余計な感触が残ったり、演奏者によってはこの表示を嫌う。（解決手段）鍵盤手前垂直面に音名及び色分けシールを貼ることにより解決出来る、好きな国の言葉で表示が出きて、黒鍵は２つの呼び方を表示で説明出来る鍵盤上面はそのままのため、指に不快な感触がなく余計な表示を嫌う演奏者には有効、ピアノなど鍵盤の多い楽器は図１−４に色を入れて、８８鍵盤７オクターブ１／４のため８８色に表示が出来るため全体の位置を示すのにも有効【選択図】図１
2004361905.tif 000002
【特許請求の範囲】
【請求項１】
鍵盤楽器の鍵盤手前の垂直面に貼る音名表示及び色分けシール
【発明の詳細な説明】
【０００１】
（発明の属する技術分野）
この発明は鍵盤楽器の鍵盤に貼る音名表示及び色分けシールに関するものである
【０００２】
（従来の技術）
この出願の発明に関連する先行技術文献情報としては次のものがある。
（特許文献１）
実開昭５１−５７１２３
ピアノの鍵にマーク及び色彩を付けること
○鍵盤の上面にＣ，Ｄ，Ｅとマークを付け残りの白鍵に色をつける
【０００３】
（発明が解決しようとする課題）
鍵盤を演奏者が弾いた時指に余計な感触が残ったり演奏者によっては余計な表示を嫌う人も多い。
【０００４】
（課題を解決するための手段）
鍵盤上面はそのままで鍵盤手前の垂直面（図１−１）に、音名表示及び色分けシールを発明した
【０００５】
（発明の実施の形態）
音名及び色分けシールは鍵盤手前垂直面に白鍵は白地に黒字（図１−２）黒鍵は黒地に白字で（図１−３）半月のように表示する、又それ以外の余白（図１−４）は色を入れられる又シールのためはがすことも可能。
【０００６】
（実施例）
鍵盤手前垂直面に貼るシール音名が図１−１のように表示があり音名は日本語英語ドイツ語、あるいは譜面など好きな入れ方が出来る。又、鍵盤全体の位置を示すため音名そのものを示す音名を入れても良いが、図１−４の余白の部分に別々の色を付けることが出来る。一例としてピアノは８８鍵７オクターブ１／４のため８８色を使い色彩によってはぼかしのきいた虹のような感じにも可能で、これが全体の位置を示すことになる。（ピアノの鍵盤図２）
【０００７】
（発明の効果）
初心者に音の表示がわかりやすくなり、演奏者に対して余計な表示による不快感が無くなるため利用効果が期待出来る。
又黒鍵は図１のように白鍵と白鍵の間に位置するため音名が半音上あるいは半音下と呼び方が２とうりあるため、この発明により理解しやすくなる。尚シールのため不必要の場合はがすことも出来る。
【図１】
2004361905.tif 000003
【図２】
2004361905.tif 000004
【手続補正書】
【提出日】平成15年8月29日(2003.8.29)
【手続補正１】
【補正対象書類名】明細書
【補正対象項目名】図面の簡単な説明
【補正方法】変更
【補正の内容】
【図面の簡単な説明】
【図１】本考案の音名表示及び色分けシールを貼った鍵盤楽器の鍵盤を正面（やや斜め上）から見た図である
【図２】鍵盤数の多いピアノの鍵盤を正面から見た図である。
【符号の説明】
１、鍵盤手前の垂直面
２、白鍵盤の表示部分
３、黒鍵盤の表示部分
４、余白の部分
(57)【要約】【課題】ＬＥＤ表示器のダイナミック駆動において、残像によって制限されていた切り替え周波数を上げることが可能とし、ちらつきも抑制する。【解決手段】多数のＬＥＤ表示器Ｌ１〜ＬＮのダイナミック駆動に、コモン信号には、各グループ１〜ｎの各駆動期間内で点灯期間と消灯期間をもたせた制御を行う。コモン信号または駆動出力信号の一方の信号、もしくは両方の信号に、点灯期間と消灯期間をもたせた制御、および点灯／消灯時間の比率を可変することで明るさを制御することも含む。【選択図】  図１
2004361761.tif 000002
【特許請求の範囲】
【請求項１】
多数のＬＥＤ表示器の駆動に、各ＬＥＤ表示器に印加する駆動出力信号およびコモン信号をグループ分けした接続をし、各グループ毎の駆動出力信号またはコモン信号を時分割で切り替えることにより、各ＬＥＤ表示器を時分割で点灯させるダイナミック駆動方式であって、
前記コモン信号または駆動出力信号の一方の信号、もしくは両方の信号には、当該グループの駆動期間内で点灯期間と消灯期間をもつ駆動制御手段を備えたことを特徴とするＬＥＤ表示器のダイナミック駆動方式。
【請求項２】
前記駆動制御手段は、前記点灯期間と消灯期間の比率を変化させることで各ＬＥＤ表示器の明るさの平均値を制御することを特徴とする請求項１に記載のＬＥＤ表示器のダイナミック駆動方式。
【発明の詳細な説明】
【０００１】
【発明の属する技術分野】
本発明は、マイクロコンピュータ回路等に設けられるＬＥＤ表示器の駆動方式に関する。
【０００２】
【従来の技術】
マイクロコンピュータ回路等において、ＬＥＤ表示器を使う場合で、多数のＬＥＤ表示器を同時に点灯する場合は消費電流が大きくなる。この対策として、従来は図３の（ａ）に示すように、多数のＬＥＤ表示器Ｌ１〜ＬＮのコモン端子Ｅ１〜Ｅｎをグループ１〜ｎ別にした回路構成とし、図３の（ｂ）に示すように駆動出力信号とコモン信号を時分割で切り替えることで、ＬＥＤ表示器Ｌ１〜ＬＮをグループ別に１／ｎ時間の点灯時間にした時分割で点灯させ、全点同時に点灯しない様にするダイナミック駆動方式を採用している（例えば、特許文献１参照）。
【０００３】
【特許文献１】
特開平９−２２５０９１号公報
【０００４】
【発明が解決しようとする課題】
従来のダイナミック駆動方式は、消費電流を低減するためには有効であるが、原理上ＬＥＤ表示器をグループ毎に切り替えて点灯するため、各グループの点灯時間は１／ｎになり、グループの切り替え周波数が低い場合には表示にちらつきが発生してしまう。
【０００５】
このちらつきを解消するため、切り替え周波数を高くする場合には残像によって消灯状態と点灯状態との識別に誤りが発生する恐れがあった。
【０００６】
本発明の目的は、上記の課題を解決したＬＥＤ表示器のダイナミック駆動方式を提供することにある。
【０００７】
【課題を解決するための手段】
本発明は、グループ単位に時分割駆動するダイナミック駆動方式において、駆動出力信号またはコモン信号の一方または両方に、各グループ毎にＬＥＤ表示器が点灯状態と消灯状態になるよう、駆動期間内で点灯期間と消灯期間をもつ駆動方式とするもので、以下の構成を特徴とする。
【０００８】
（１）多数のＬＥＤ表示器の駆動に、各ＬＥＤ表示器に印加する駆動出力信号およびコモン信号をグループ分けした接続をし、各グループ毎の駆動出力信号またはコモン信号を時分割で切り替えることにより、各ＬＥＤ表示器を時分割で点灯させるダイナミック駆動方式であって、
前記コモン信号または駆動出力信号の一方の信号、もしくは両方の信号には、当該グループの駆動期間内で点灯期間と消灯期間をもつ駆動制御手段を備えたことを特徴とする。
【０００９】
（２）前記駆動制御手段は、前記点灯期間と消灯期間の比率を変化させることで各ＬＥＤ表示器の明るさの平均値を制御することを特徴とする。
【００１０】
【発明の実施の形態】
（実施形態１）
図１は、本実施形態のＬＥＤ表示器回路と駆動信号を示す。ＬＥＤ表示器回路は図３と同じにグループ分けした駆動を可能にした構成とする。
【００１１】
図３と異なる点は、駆動パターンであり、図１の（ｂ）に示すように、各グループ１〜ｎにおけるコモン信号には前半のオン期間（ＬＥＤ表示器の点灯時間）と後半のオフ期間（ＬＥＤ表示器の消灯時間）を設ける。
【００１２】
例えば、図１のグループ１の駆動期間ではタイミングｔ１からｔ２までグループ１のＬＥＤ表示器Ｌ１〜Ｌ３を点灯させ、タイミングｔ２からｔ３まではＬＥＤ表示器Ｌ１〜Ｌ３を消灯させる。
【００１３】
したがって、従来では同じグループのＬＥＤ表示器はそのグループ駆動時間内で常に点灯させていたのに対して、本実施形態ではグループ駆動時間内で点灯時間と消灯時間を設ける。
【００１４】
これにより、従来は残像によって制限されていた切り替え周波数を上げることが可能となり、ちらつきも抑制できる。また、点灯／消灯時間の比率を変化させることで明るさ（平均値）を制御できる。
【００１５】
（実施形態２）
図２は本実施形態を示し、ＬＥＤ表示器の駆動信号のみを示す。本実施形態が図１と異なる部分は、コモン信号はグループ１〜ｎ毎に時分割で切り替え、グループ出力信号には前半のオン期間（ＬＥＤ表示器の点灯時間）と後半のオフ期間（ＬＥＤ表示器の消灯時間）を設ける。
【００１６】
例えば、図２のグループ１の駆動期間ではタイミングｔ１からｔ２までグループ１のＬＥＤ表示器Ｌ１〜Ｌ３を点灯させ、タイミングｔ２からｔ３まではＬＥＤ表示器Ｌ１〜Ｌ３を消灯させる。
【００１７】
本実施形態においても、実施形態１と同様に、グループ駆動時間内で点灯時間と消灯時間を設けることにより、従来は残像によって制限されていた切り替え周波数を上げることが可能となり、ちらつきも抑制できる。また、点灯／消灯時間の比率を変化させることで明るさ（平均値）を制御できる。
【００１８】
なお、以上までの実施形態においては、駆動出力信号またはコモン信号の一方に点灯期間と消灯期間を設ける場合を示すが、これら駆動出力とコモン信号の両方に同じタイミングで点灯期間と消灯期間を設けることもできる。
【００１９】
【発明の効果】
従来のダイナミック駆動方式は、消費電流を低減するためには有効であるが、原理上ＬＥＤ表示器を短時間に切り替えて点灯するため、ちらつきや残像の問題があったが、本発明によれば、駆動出力信号またはコモン信号の一方または両方に、各グループ毎にＬＥＤ表示器が点灯状態と消灯状態になるよう、駆動期間内で点灯期間と消灯期間を設けるため、残像によって制限されていた切り替え周波数を上げることが可能となり、ちらつきを抑制できる。また、点灯／消灯時間の比率を可変することで明るさを制御できる。
【図面の簡単な説明】
【図１】本発明の実施形態１を示すＬＥＤ表示器と駆動信号。
【図２】本発明の実施形態２を示すＬＥＤ表示器の駆動信号。
【図３】従来のＬＥＤ表示器と駆動信号。
【符号の説明】
Ｌ１〜ＬＮ…ＬＥＤ表示器
【図１】
2004361761.tif 000003
【図２】
2004361761.tif 000004
【図３】
2004361761.tif 000005
(57)【要約】【課題】再帰性反射性能および美観を合わせ持つ再帰性反射シートを提供する。【解決手段】再帰性反射材１の反射面に光干渉フィルム３を接合してなり、支持体に装着して光源のない夜間の暗闇で使用した際、往来する自動車のヘッドラットから発せられる光を再帰性反射シート６により再帰反射し、使用する人の存在を知らせて安全を確保できるようにした。【選択図】        図２
2004361860.tif 000002
【特許請求の範囲】
【請求項１】
再帰性反射材の反射面に光干渉フィルムを接合してなることを特徴とする再帰性反射シート。
【発明の詳細な説明】
【０００１】
【発明の属する技術分野】
本発明は、夜間に光源のない場所で使用される頻度の高い携帯電話機器などの移動通信機器や衣類などに装着し、自動車のヘッドラットから発せられる光を反射して人の存在を他者に認識させるようにした再帰性反射シートに関するものである。
【０００２】
【従来の技術】
従来から交通標識などの表示用として、特に夜間の視認性を高めるため、例えば特許文献１に開示されているように透明微小球を表面に付設した再帰性反射材が広く使用されている。近年、交通標識以外にも、再帰性反射材は警察関係者、消防関係者、土建工事関係者など、夜間に作業する人の安全確保の点から、安全服、保安ベスト、たすき、腕章などの安全衣類に使用されてきた。さらに、一般的な安全意識の高揚から、夜間の歩行者、ジョッガー、老人、子供、障害者に対する交通事故などの防止対策として、ウインドブレーカー、トレーニングウエアー、Ｔシャツ、スポーツシューズ、水着などのスポーツアパレル、さらにはバッグやスーツケースなどに対する装飾用を兼ねた用途にも幅広く使用されてきた。
【０００３】
従来の再帰性反射材はその反射材自身の有する美観は殆ど問題にされておらず、美観を求める用途には適していなかった。
【０００４】
【特許文献１】
特開平９−３０４６１０号公報
【０００５】
【発明が解決しようとする課題】
本発明はこのような課題を解決するもので、再帰性反射性能および美観を合わせ持つ再帰性反射シートを提供することを目的とするものである。
【０００６】
【課題を解決するための手段】
この課題を解決するために本発明は、再帰性反射材の反射面に光干渉フィルムを接合してなることを要旨とするものである。
【０００７】
この構成により、携帯電話機器などの移動通信機器、携帯ゲーム機、手帳サイズの個人用情報機器（ＰＤＡ）、ノート型パソコン、モバイル機器、ウインドブレーカー、トレーニングウエアー、Ｔシャツなどの衣料、スポーツシューズなどの履物、垂れ幕、旗、鞄、帽子などの移動可能な支持体に対し、再帰性反射材の反射面に光干渉フィルムを接合してなる再帰性反射シートを装着するようにしたことにより、支持体を光源のない夜間の暗闇で使用した際、往来する自動車のヘッドラットから発せられる光を再帰性反射シートにより再帰反射し、使用する人の存在を知らせて安全を確保できるとともに、一般のデイライトでは干渉色を発し、美観を向上させることができる。
【０００８】
【発明の実施の形態】
以下、本発明の一実施の形態について、図面に基づいて説明する。
図１および図２において、１はオープンタイプの再帰性反射材で、この再帰性反射材１の反射面はガラス製の無数の透明微小球２が埋設されて形成されている。３は前記再帰性反射材１の反射面を覆うように再帰性反射材１に対して接着層４を介して接合される光干渉フィルムであって、この光干渉フィルムの表面に必要に応じて保護層５が設けられる。
【０００９】
以上のようにして作られた再帰性反射シート６は携帯電話機器などの移動通信機器、携帯ゲーム機、手帳サイズの個人用情報機器（ＰＤＡ）、ノート型パソコン、モバイル機器、ウインドブレーカー、トレーニングウエアー、Ｔシャツなどの衣料、スポーツシューズなどの履物、垂れ幕、旗、鞄、帽子などの移動可能な物品（支持体）に対し装着される。この支持体に対する再帰性反射シート６の装着は接着剤を用いるか、縫製などの方法により行なわれる。また、再帰性反射シート６の装着幅、装着面積は支持体によって異なるが、最も小型の携帯電話機器においては、幅０．５ｍｍ以上、面積１００ｍｍ２  以上であることが望ましい。即ち、装着される対象となる支持体の種類に応じて装着幅、装着面積が異なるものである。支持体に対する再帰性反射シート６の取り付け位置は支持体の側面、背面、正面の少なくとも何れかである。
【００１０】
上記した支持体を光源のない夜間の暗闇で使用した際、往来する自動車のヘッドラットから発せられる光を再帰性反射シート６により再帰反射し、使用する人の存在を知らせて安全を確保できるとともに、一般のデイライトでは干渉色を発し、美観を向上させることができる。
【００１１】
ところで、以上述べた実施の形態においてオープンタイプの再帰性反射材１を使用しているが、クローズドタイプの再帰性反射材を使用しても良い。
【００１２】
【発明の効果】
以上のように本発明によれば、携帯電話機器などの移動通信機器、携帯ゲーム機、手帳サイズの個人用情報機器（ＰＤＡ）、ノート型パソコン、モバイル機器、ウインドブレーカー、トレーニングウエアー、Ｔシャツなどの衣料、スポーツシューズなどの履物、垂れ幕、旗、鞄、帽子などの移動可能な支持体に対し、再帰性反射材の反射面に光干渉フィルムを接合してなる再帰性反射シートを装着するようにしたことにより、支持体を光源のない夜間の暗闇で使用した際、往来する自動車のヘッドラットから発せられる光を再帰性反射シートにより再帰反射し、使用する人の存在を知らせて安全を確保できるとともに、一般のデイライトでは干渉色を発し、美観を向上させることができる。
【図面の簡単な説明】
【図１】本発明の一実施の形態における再帰性反射シートの製造途中の状態を示す断面図である。
【図２】同再帰性反射シートの完成状態を示す断面図である。
【符号の説明】
１    再帰性反射材
２    透明微小球
３    光干渉フィルム
４    接着層
５    保護コート層
６    再帰性反射シート
【図１】
2004361860.tif 000003
【図２】
2004361860.tif 000004
(57)【要約】【課題】ラックマウント型機器を取り付けることができる光配線盤を提供する。【解決手段】光配線盤１は、箱体本体７の内部の前面側左右に高さ方向に多数のネジ孔９ａが穿設された支柱９が立設される。支柱９間の寸法は通信用機器等で用いられる１９インチ幅の機器が取り付けられる寸法に設けられ、ネジ孔９ａ間のピッチは汎用ラックのマウントアングルのネジ孔のピッチと同じ寸法に形成される。ラックマウント型機器１１を前面から支柱９間に嵌め込み、左右側面から張り出したマウント部１２を支柱９に当接させて取付ネジ１３により螺着固定する。【選択図】        図２
2004361892.tif 000002
【特許請求の範囲】
【請求項１】
光ファイバの接続を行うための光配線盤において、内部にラックマウント型機器が取り付け可能な支柱を立設したことを特徴とする光配線盤。
【発明の詳細な説明】
【０００１】
【発明の属する技術分野】
本発明は、光ファイバの接続を行うための光配線盤の機器取り付け構造に関する。
【０００２】
【従来の技術】
従来、光配線盤は前面開口に扉体を開閉自在に設けた箱体本体の背板に機器の背面を当接させ、ボルト挿通孔にボルトを挿通させて螺着固定していた（特許文献１参照。）。また、機器は通信機器等を収納するためのラックに搭載できるラックマウント型のものもある（特許文献２参照。）。
【０００３】
【特許文献１】
特開２００３−１０７２５１号公報（第４頁、第１−３図）
【特許文献２】
特開２００２−３７２６３４号公報（第１頁、第１，２図）
【０００４】
【発明が解決しようとする課題】
このため、機器の共用化を図る目的でラックマウント型機器を光配線盤に取り付けたい場合があるが、従来の光配線盤はラックマウント型の機器を取り付けることができないという欠点があった。
【０００５】
そこで上記問題点に鑑み、本発明の目的は、ラックマウント型機器を取り付けることができる光配線盤を提供することである。
【０００６】
【課題を解決するための手段】
上記目的を達成するために、光ファイバの接続を行うための光配線盤において、内部にラックマウント型機器が取り付け可能な支柱を立設したことを特徴とする。
【０００７】
【発明の実施の形態】
光配線盤は、箱体本体の内部に高さ方向に多数のネジ孔が穿設された支柱が立設される。支柱間の寸法は通信用機器等で用いられる１９インチ幅の機器が取り付けられる寸法に設けられ、ネジ孔間のピッチは汎用ラックのマウントアングルのネジ孔のピッチと同じ寸法に形成される。ラックマウント型機器を前面から支柱間に嵌め込み、左右側面から張り出したマウント部を支柱に当接させて取付ネジにより螺着固定する。
【０００８】
【実施例】
本発明に係る光配線盤の実施例を図１〜図５の添付図面に基づいて説明する。
【０００９】
光配線盤１は天板２、底板３、左右側板４，５、背板６とで箱体本体７を形成し、前面開口を扉体８で開閉自在に閉塞されている。箱体本体７の内部の前面側には左右に間隔をおいて底板３から天板２まで亘る支柱９が立設されている。
【００１０】
支柱９間の寸法は通信用機器等で用いられる１９インチ幅の機器が取り付けられる寸法に設けられ、支柱９の高さ方向には多数のネジ孔９ａが穿設されている。ネジ孔９ａ間のピッチは図示しない汎用ラックに設けられる機器取り付け用のマウントアングルのネジ孔のピッチと同じ寸法に形成している。また、支柱９の側面には配線を保持するための枠状の配線ホルダ１０が螺着されて取り付けられている。
【００１１】
ラックマウント型機器１１は汎用ラックに取り付けできるように左右側面にマウント部１２が張り出すように形成され、マウント部１２には図示しないネジ挿通孔が穿設されている。
【００１２】
ラックマウント型機器１１は箱体本体７の前面から支柱９間に嵌めてマウント部１２を支柱９に当接させ、マウント部１２のネジ挿通孔と支柱９のネジ孔９ａを一致させ、取付ネジ１３をネジ挿通孔に挿通させて支柱９のネジ孔９ａに螺着して固定する。
【００１３】
尚、ラックマウント型に形成されていない機器は、光配線盤１の背板６に螺着して固定することもでき、このため、背板６は機器を取り付けたネジ１４の先端が背面から突出しないように内側に凹ませて形成されている。また、図５に示すようにラックマウント型に形成されていない機器１５は、略コ字状に形成された支持体１６ａの左右側面にマウント部１６ｂを張り出すように形成したラックマウント型の取付部材１６を介することにより、取り付けることもできる。
【００１４】
【発明の効果】
以上説明したように光ファイバの接続を行うための光配線盤において、内部にラックマウント型機器が取り付け可能な支柱を立設したことにより、ラックマウント型機器を取り付けることができ、機器の共用化が図れ、在庫を削減し、コストを低減することができるという効果がある。
【図面の簡単な説明】
【図１】本発明に係る光配線盤の正面図である。
【図２】本発明に係る光配線盤の扉体を外した状態の正面図である。
【図３】本発明に係る光配線盤の側板を外した状態の右側面図である。
【図４】図２のＡ−Ａ線断面図である。
【図５】ラックマウント型でない機器をラックマウント型の取付部材に取り付けた状態を示す平面図である。
【符号の説明】
１…光配線盤
９…支柱
９ａ…ネジ孔
１１…ラックマウント型機器
１２…マウント部
１３…取付ネジ
【図１】
2004361892.tif 000003
【図２】
2004361892.tif 000004
【図３】
2004361892.tif 000005
【図４】
2004361892.tif 000006
【図５】
2004361892.tif 000007